(57)【要約】【課題】金属箔が組み込まれた石油ストーブ芯が用いられた石油ストーブにおいて、点火不良を防止することを目的とする。【解決手段】金属箔７が組み込まれた石油ストーブ芯４は、上端に切り欠き部４Ｄが設けられ、切り欠き部４Ｄには、放電極１５と対極板１６が設けられる。放電極１５は、通電されると対極板１６に向かって放電することにより芯４に点火する。芯４に組み込まれた金属箔７は、切り欠き部４Ｄの縁部近傍からは除去されている。これにより、放電極１５が対極板１６に向かって放電したとき、放電極１５と金属箔７との間で誤放電が行われることがなくなるため、放電極１５は、対極板１６に対して確実に放電し、スムーズに芯４に点火することが可能となる。【選択図】図４
2008241051.tif 000002
【特許請求の範囲】
【請求項１】
筒状をした芯案内内筒と芯案内外筒の間で、昇降可能であって繊維で構成され上部略全周に金属箔が組み込まれた石油ストーブ芯において、
前記石油ストーブ芯上端には、切り欠き部が設けられ、
前記切り欠き部には、放電点火する放電極と該放電極の対極となる対極板とが設けられ、
前記金属箔は、前記切り欠き部の縁部近傍から除去されていることによって、前記放電極は、前記対極板に対して確実に放電点火できることを特徴とする石油ストーブ芯。
【請求項２】
前記金属箔は、前記石油ストーブ芯に組み込まれた後、ミシン針によって前記切り欠き部の縁部近傍に連続的に穴があけられることによって切断され、該切り欠き部近傍から除去されることを特徴とする請求項１に記載の石油ストーブ芯。
【発明の詳細な説明】
【技術分野】
【０００１】
本発明は、繊維で構成された石油ストーブ芯の技術に関する。
【背景技術】
【０００２】
従来から、芯昇降式の石油ストーブは、芯案内筒を構成する芯案内内筒と芯案内外筒との間で石油ストーブ芯を昇降し、両案内筒上端よりガラス繊維などで構成された石油ストーブ芯を突出させ、この芯に点火することにより、石油ストーブ芯から灯油を気化させ、燃焼筒内で完全燃焼させるものである。石油ストーブ芯に点火するために、放電極と対極板は、芯案内筒の火皿部上であって燃焼筒内の石油ストーブ芯上端に接近して設けられている。しかし、放電極による放電点火が燃焼筒との間で行われることによる点火不良が生じていた。
【０００３】
石油ストーブ芯は、普通、ガラス繊維など耐熱性のある繊維でできた上部耐熱部と、灯油を吸上げる目的で綿布や不織布でできた吸上げ部とが縫製などで接合されて作られる。また、芯の寸法安定性や形状保持のため、耐熱部にはガラスなどで出来た中芯が埋め込まれ、芯の耐熱部と吸上げ部との繋ぎ目の外周には樹脂補強した繊維織物でできたテープが張られている。
【０００４】
一般に、芯案内内筒上部には、消火時の消火促進（未燃ガスの瞬時燃焼）を図るため、空気が出入りできるようにスリット状の隙間が設けられている。この内筒スリットは１ｍｍ以下のスリットで、燃焼時は芯上端がこのスリットより上方まで出ており、吸上げた灯油の一部がこのスリットに到達し、毛細管現象などで、灯油が内筒スリットに入り込み易く、内筒スリットの一部または全部に灯油が充満することがある。内筒スリットに灯油が部分的にでも充満すると、空気の通りが悪くなり、燃焼時耳障りな異音がしたり、消火時には消火時間が掛かったり、異臭がする現象が発生する。
【０００５】
そこで、特許文献１においては、放電点火が燃焼筒との間で行われることによる点火不良を解消するために、石油ストーブ芯上端には、点火時に火皿部より下方となる凹形状の切り欠き部が設けられ、切り欠き部は、放電極と対極板とを備える手段が開示されている。これにより、放電点火が燃焼筒との間で行われることが回避される。
【０００６】
また、特許文献２においては、石油ストーブ芯にアルミニウムなど金属箔を編み込む構成が開示されている。図７は、従来の石油ストーブ芯の構成を示す。図７において、石油ストーブ芯４は、金属箔７が編み込まれており、上端には切り欠き部４Ｄが設けられている。石油ストーブ芯４の側面には、放電点火する放電極の対極となる対極板１６の先端部１６ａが切り欠き部４Ｄに位置するように取り付けられている。このとき、切り欠き部４Ｄの内側には、石油ストーブ芯４に編み込まれた金属箔７が露出している。石油ストーブ芯に金属箔を編み込むことにより、芯案内筒上部の水平方向に設けられた内筒スリットに到達する灯油量が減少するので、灯油が内筒スリットに溜まることがなくなり、燃焼時の耳障りな異音や異臭が発生する現象を防止することができる。
【０００７】
しかしながら、特許文献１に示される技術においては、燃焼時耳障りな異音がしたり、消火時には消火時間が掛かったり、異臭がする現象を回避できないという問題が生じていた。また、特許文献２に示される技術においては、金属箔が対電極となるが、一カ所に放電火花が集中せず、特に乾電池が消耗してきた低電圧時には着火不良となる問題があり、対電極を省略出来ない問題があった。また対電極を設けた場合でも切り欠き部縁部の露出した金属箔に誤放電する場合があり着火不良となる問題が生じていた。
【特許文献１】特開２００２−２２１６８号公報
【特許文献２】特開２００５−１４０４５５号公報
【発明の開示】
【発明が解決しようとする課題】
【０００８】
本発明は、上記従来例の問題を解決するためになされたものであり、芯案内内筒上部に設けられた空気が出入りするためのスリットに灯油が入り込まず、かつ、消火するために石油ストーブ芯を降下させることによって速やかに消火することができ、さらに、点火不良が発生することのない石油ストーブ芯を備えた芯昇降式の石油ストーブ芯を提供することを目的とする。
【課題を解決するための手段】
【０００９】
上記目的を達成するために請求項１の発明は、筒状をした芯案内内筒と芯案内外筒の間で、昇降可能であって繊維で構成され上部略全周に金属箔が組み込まれた石油ストーブ芯において、石油ストーブ芯上端には、切り欠き部が設けられ、切り欠き部には、放電点火する放電極と放電極の対極となる対極板とが設けられ、金属箔は、切り欠き部の縁部近傍から除去されていることによって、放電極は、対極板に対して確実に放電点火できるようにしたものである。
【００１０】
また、請求項２の発明は、請求項１の石油ストーブ芯において、金属箔は、石油ストーブ芯に組み込まれた後、ミシン針によって切り欠き部の縁部近傍に連続的に穴があけられることによって切断され、切り欠き部近傍から除去されるようにしたものである。
【発明の効果】
【００１１】
請求項１の発明によれば、金属箔が組み込まれた石油ストーブ芯は、上端に放電極と対極板とを備えた切り欠き部が設けられ、金属箔は、切り欠き部の縁部近傍から除去される。これにより、石油ストーブは、速やかに消火することができると共に、放電点火が放電極と金属箔との間で行われることがなくなるため、石油ストーブ芯に対して良好に放電点火することができる。
【００１２】
請求項２の発明によれば、金属箔は、切り欠き部の縁部近傍がミシン針によって連続的に穴をあけられることによって、切り欠き部の縁部近傍から除去される。これにより、金属箔が組み込まれた石油ストーブ芯から、容易に切り欠き部の縁部近傍の金属箔を除去することができるため、製造コストを低く抑えることが可能となる。
【発明を実施するための最良の形態】
【００１３】
以下、本発明の実施形態に係る石油ストーブ芯について、図面を参照して説明する。図１は、本実施形態による石油ストーブの要部断面構成であり、同図では石油ストーブ芯４（以下、芯という）が上昇した状態を示している。灯芯式石油ストーブの燃焼部は、芯案内内筒２と芯案内外筒３とから成る芯案内筒１と、これら芯案内内筒２と芯案内外筒３との間に案内されて昇降可能で灯油を吸い上げる筒状の芯４と、芯案内筒１の上部に配置された燃焼筒受部８及び８’に載置され、耐熱ガラス筒１２ａ、外炎筒１２ｂ、内炎筒１２ｄを有する燃焼筒１２等を、備える。芯案内内筒２の上方であって、芯内筒天板２ａの外周部フランジ１０と水平面周状に隔てて設置された燃焼筒受部８’の外周部フランジ９との間に内筒スリット１１が設けられている。外炎筒１２ｂと内炎筒１２ｄとの間は燃焼室１２ｃとなっている。
【００１４】
この内筒スリット１１が有ることにより、消火時に芯４が下降したとき芯４の上端が内筒スリット１１よりも下方に下がり、この内筒スリット１１を通して内周から芯案内筒１内に空気が供給され、消火促進（未燃ガスの早期燃焼）を図ることができる。芯４は、後述の耐熱部４Ａに相当する部材として、ガラス繊維等から成る繊維部５と、ガラス繊維の織物テープ等で成る中芯６と、アルミニウム箔等の金属箔７とを備える。１３はフランジ９とフランジ１０とを固定するネジ、１４は後述する芯４の切り欠き部４Ｄの下端を示す。燃焼筒受部８の下方には、石油ストーブ芯４に放電点火する放電極１５が水平方向に進退自在に設けられ、切り欠き部４Ｄの内側位置には、放電極１５に対向する対極板１６が設けられている。
【００１５】
図２は、本実施形態による石油ストーブの要部水平断面構成を示す。ここで、芯４は、点火位置である最上昇位置まで上昇させられている。このとき、放電極１５は対極板１６と対向する。この状態で、放電極１５は、通電されると、放電極１５から対極板１６に向かって放電することによって芯４に点火する。
【００１６】
図３は、芯４の構成を示す。図３（ａ）（ｂ）に示すように、芯４は、ガラス繊維等から成る耐熱部４Ａと、不織布等から成る吸い上げ部４Ｂとから構成され、両者の接合部４Ｃは千鳥状に縫い合わせており、その接合部４Ｃの上下領域を樹脂加工テープ１７でカバーしている。耐熱部４Ａの上端一部で、石油ストーブ機体に設けられた放電極１５に対応する部位に切り欠き部４Ｄを形成している。耐熱部４Ａにおいて、金属箔７及び中芯６の先端は、芯先端４Ｅ（繊維部５の先端）よりも少し低い位置までとし、切り欠き部４Ｄでは、繊維部５から金属箔７及び中芯６の各端面が露出している。繊維部５は、内側繊維５１と外側繊維５２の２層から成り、糸５３で編む（又は縫う）ことにより、金属箔７及び中芯６を内部に組み込み一体化している。本実施例では、金属箔７及び中芯６は、芯４の厚さの中心よりも内側に偏らせている。
【００１７】
図４は、対極板１６が取り付けられた芯４の構成を示す。対極板１６は、先端部１６ａが切り欠き部４Ｄの内側に位置するように芯４の側面に取り付けられている。芯４に組み込まれた金属箔７は、切り欠き部４Ｄの縁部近傍からは除去されている。芯４は、金属箔７が、切り欠き部４Ｄから所定の幅Ｗ以内には組み込まれないように構成される。ここで、所定の幅Ｗとは、例えば、３ｍｍである。これにより、放電極１５が対極板１６に向かって放電したとき、放電極１５と金属箔７との間で放電点火が行われることがなくなるため、放電極１５は、スムーズに芯４に点火することが可能となる。
【００１８】
図５は、金属箔７が切り欠き部４Ｄの縁部近傍から除去される芯４の状態を示す。図５（ａ）乃至（ｃ）は、芯４の側面を示す。図５（ａ）は、金属箔７が切り欠き部４Ｄの縁部まで組み込まれている状態を示し、図５（ｂ）は、金属箔７を切り欠き部４Ｄの縁部近傍で切断する状態を示し、図５（ｃ）は、金属箔７が切り欠き部４Ｄの縁部近傍から除去された状態を示す。図５（ａ）において、芯４は、金属箔７が組み込まれた状態で円筒状に丸められた後、切り欠き部４Ｄの形状の刃により切断される。このとき、金属箔７は、切り欠き部４Ｄの縁部まで組み込まれている。次に、図５（ｂ）において、芯４は、切り欠き部４Ｄの縁部近傍から金属箔７を除去するために、切り欠き部４Ｄから所定の幅Ｗおいた位置を、ミシン針が連続的に貫通することによって、繊維部５、中芯６は繊維の間をミシン針が通り切断することはなく、金属箔７のみを切断するため金属箔７のみ穴Ｈが連続にあけられることによって、切り欠き部４Ｄの縁部近傍の金属箔７のみが切断される。その後、図５（ｃ）において、芯４は、ミシン針によって切断された金属箔７のみが除去されることによって、切り欠き部４Ｄの縁部近傍に金属箔７が存在しない構成となる。
【００１９】
図６は、金属箔７が切り欠き部４Ｄの縁部近傍から除去される芯４の断面状態を示す。図６（ａ）において、ミシン針Ｎは、切り欠き部４Ｄの縁部近傍の金属箔７を切断するため、芯４に連続的に穴Ｈをあける。図６（ｂ）において、切り欠き部４Ｄの縁部近傍の金属箔７が切断されると、切断された金属箔７は、ピンセットＰによって芯４から抜き取られる。これにより、切り欠き部４Ｄの縁部近傍に金属箔７が存在しない芯４が形成される。
【００２０】
以上のように本発明の実施形態の石油ストーブ芯４は、金属箔７が組み込まれる。これにより、内筒スリット１１に到達する灯油量が金属箔７の存在により減少するので、灯油が内筒スリット１１に溜まることがなくなり、燃焼時の耳障りな音や、消化時間が長くかかることや、異臭が発生する現象を防止することができる。
【００２１】
また、切り欠き部４Ｄの縁部近傍の金属箔７を除去することにより、放電極１５と金属箔７との間で放電点火が行われることがなくなるため、放電極１５は、放電極１５に印加される電圧が低下した場合であっても、安定して芯４に点火することが可能となる。
【００２２】
さらに、金属箔７が組み込まれた芯４において、切り欠き部４Ｄの縁部近傍をミシン針Ｎで連続的に穴Ｈをあけて金属箔７を切断することにより、容易に切り欠き部４Ｄの縁部近傍から金属箔７を除去することができるため、製造コストを抑えることが可能となる。
【００２３】
なお、本発明は、上記実施形態の構成に限られず、種々の変形が可能であり、例えば、金属箔７は、アルミニウム以外の金属で構成されても構わない。また、ミシン針Ｎによって切断された金属箔７は、芯４からピンセットＰで抜き取られる構成ではなく、千枚通しなどで掻き出す方法で抜き取られる構成であっても構わない。
【図面の簡単な説明】
【００２４】
【図１】本発明の実施形態に係る石油ストーブの要部の半裁断面図。
【図２】同石油ストーブ芯の水平断面図。
【図３】（ａ）は同石油ストーブ芯の部分平面図、（ｂ）は側面図。
【図４】同石油ストーブ芯の斜視図。
【図５】（ａ）乃至（ｃ）は同石油ストーブ芯の部分側面図。
【図６】（ａ）（ｂ）は同石油ストーブ芯の部分断面図。
【図７】従来の石油ストーブ芯の斜視図。
【符号の説明】
【００２５】
４  芯（石油ストーブ芯）
４Ｄ  切り欠き部
７  アルミニウム箔等の金属箔
１５  放電極
１６  対極板
Ｎ  ミシン針
Ｈ  穴
【図１】
2008241051.tif 000003
【図２】
2008241051.tif 000004
【図３】
2008241051.tif 000005
【図４】
2008241051.tif 000006
【図５】
2008241051.tif 000007
【図６】
2008241051.tif 000008
【図７】
2008241051.tif 000009